(57)【要約】【課題】断路器の一部分に異常が発生した場合にも、異常を検知することができ、また、異常の生じた部位を特定することのできる断路器の動作監視装置を提供する。【解決手段】送電路の入状態と切状態とを切り替えるブレードと、入又は切の操作指令に応じて駆動される操作装置と、操作装置の回転駆動をブレードに伝達する回転シャフト１５０と、を有する断路器の動作監視装置１は、断路器の操作装置の回転をブレードに伝達する回転シャフト１５０の角速度の時系列変化を測定する測定部１１と、測定した角速度の時系列変化を、基準となる回転シャフトの角速度の基準時系列変化と比較し、測定した角速度の時間変化と、角速度基準の時間変化との差に基づき、断路器の異常の有無を判定する判定部１０とを備える。【選択図】図４
2008004483.tif 000002
【特許請求の範囲】
【請求項１】
送電路の入状態と切状態とを切り替えるブレードと、入又は切の操作指令に応じて駆動される操作装置と、前記操作装置の回転駆動を前記ブレードに伝達する回転シャフトと、を有する断路器の動作監視装置であって、
前記断路器の操作装置の回転をブレードに伝達する回転シャフトの角速度の時間変化を測定する角速度測定手段と、
前記測定した角速度の時間変化を、基準となる回転シャフトの角速度の時間変化との差異の傾向に基づき、断路器の異常の有無を判定する判定手段とを備えることを特徴とする断路器の動作監視装置。
【請求項２】
前記角速度測定手段は、
前記回転シャフトに取り付けられた振動型又は回転型のジャイロスコープを備えることを特徴とする請求項１記載の断路器の動作異常監視装置
【請求項３】
前記角速度測定手段は、
側面、上面、及び下面の少なくとも何れかの面に白黒の模様又はスリットが設けられ、前記駆動シャフトに取り付けられた円盤と、
前記円盤の白黒の模様又はスリットが設けられた面に向けて光を照射する発光ダイオードと、
前記発光ダイオードより照射され、前記円盤の白黒の模様又はスリットが設けられた面で反射された光を受信する受光素子と、
前記受光素子より出力された信号に基づき前記回転シャフトの回転の角速度を求める手段と、を備えることを特徴とする請求項１記載の動作異常監視装置。
【請求項４】
前記判定手段は、
前記測定した角速度の時間変化が、基準となる回転シャフトの角速度の時間変化に比べて低下している箇所に基づき異常の箇所を特定する手段と、
前記測定した角速度の時間変化が、基準となる回転シャフトの角速度の時間変化に比べて上昇している箇所に基づき異常の箇所を特定する手段と、を備えることを特徴とする請求項１から３記載の動作異常監視装置。
【請求項５】
請求項１から４何れかに記載の断路器の動作監視装置が組み込まれたことを特徴とする断路器。
【請求項６】
送電路の入状態と切状態とを切り替えるブレードと、入又は切の操作指令に応じて駆動される操作装置と、前記操作装置の回転駆動を前記ブレードに伝達する回転シャフトと、を有する断路器の動作監視方法であって、
前記断路器の操作装置の回転をブレードに伝達する回転シャフトの角速度の時間変化を測定する角速度測定ステップと、
前記測定した角速度の時間変化を、基準となる回転シャフトの角速度の時間変化との差異の傾向に基づき、断路器の異常の有無を判定するステップとを備えることを特徴とする断路器の動作監視方法。
【発明の詳細な説明】
【技術分野】
【０００１】
本発明は、発変電所などに設けられた電力開閉器の一つである断路器の動作を監視するための装置及び方法に関する。
【背景技術】
【０００２】
発変電所の発変電機器には、遮断器、断路器、変圧器など、様々なものがある。かかる発変電機器の保守点検を行うにあたっては、各機器の動作状態を把握することが必要であり、従来、機器の巡視点検が行われている。しかしながら、運転中の機器の動作状態を巡視点検のみで精度良く把握することは必ずしも容易ではない。特に、電力開閉器である遮断器や断路器は、グリス固着などによって各部の動作時間が徐々に増加して最終的に故障に至るのであるが、巡視点検では、各部の動作時間を正確に判定することができないため、開閉器の不具合を初期段階で発見することは難しい。
【０００３】
広く用いられている断路器の動作を監視する方法として、断路器を作動する指令の入力から、操作機構のリミットスイッチが復帰するまでの、断路器の動作時間を管理することにより、障害の有無を判定する方法が用いられている。また、これに関連して、特許文献１には、断路器に入力される制御電流と操作電流の流れ始める時間差に基づき、断路器の動作状況を監視する方法が記載されている。
【特許文献１】特開平１１−２７３５１０号公報
【発明の開示】
【発明が解決しようとする課題】
【０００４】
ところで、断路器内の機構の動作は、動作速度の異なる各機構が順次動作することにより行われる。上記説明した方法では断路器全体の動作時間に基づき異常の有無を監視しているため、断路器の機構の一部に異常が発生しても、異常が大きく進行するまで動作時間は大きく変化せず、異常を検知することができない。また、異常を検知した場合にも異常の発生した部分を特定することができない。また、特許文献１記載の方法も、同様の理由から、異常を検知した場合にも異常の発生した部分を特定することができないという問題がある。
【０００５】
本発明は、以上の問題に鑑みなされたものであり、その目的は、断路器の一部分に異常が発生した場合にも、異常を検知することができ、また、異常の生じた部位を特定することのできる断路器の動作監視方法を提供することである。
【課題を解決するための手段】
【０００６】
本発明の動作監視装置は、送電路の入状態と切状態とを切り替えるブレードと、入又は切の操作指令に応じて駆動される操作装置と、前記操作装置の回転駆動を前記ブレードに伝達する回転シャフトと、を有する断路器の動作監視装置であって、前記断路器の操作装置の回転をブレードに伝達する回転シャフトの角速度の時間変化を測定する角速度測定手段と、前記測定した角速度の時間変化を、基準となる回転シャフトの角速度の時間変化との差異の傾向に基づき、断路器の異常の有無を判定する判定手段とを備えることを特徴とする。
【０００７】
ここで、前記角速度測定手段は、前記回転シャフトに取り付けられた振動型又は回転型のジャイロスコープを備えてもよい。また、前記角速度測定手段は、側面、上面、及び下面の少なくとも何れかの面に白黒の模様又はスリットが設けられ、前記駆動シャフトに取り付けられた円盤と、前記円盤の白黒の模様又はスリットが設けられた面に光を照射する発光ダイオードと、前記発光ダイオードより照射され、前記円盤の白黒の模様又はスリットが設けられた面で反射された光を受信する受光素子と、前記受光素子より出力された信号に基づき前記回転シャフトの回転の角速度を求める手段と、を備えてもよい。
【０００８】
また、前記判定手段は、前記測定した角速度の時間変化が、基準となる回転シャフトの角速度の時間変化に比べて低下している箇所に基づき異常の箇所を特定する手段と、前記測定した角速度の時間変化が、基準となる回転シャフトの角速度の時間変化に比べて上昇している箇所に基づき異常の箇所を特定する手段と、を備えてもよい。また、本発明は、断路器の動作監視装置が組み込まれたことを特徴とする断路器を含むものとする。
【０００９】
本発明の断路器の動作監視装置によれば、断路器のブレードに回転駆動を伝達する回転シャフトの角速度の時間変化を測定し、異常のない状態における角速度の時間変化と比較することにより、異常の有無を判定するため、断路器の動作機構の一部に異常が発生した場合にも、早期に異常を検知することができる。また、測定した回転シャフトの角速度の時間変化と、異常のない状態における角速度の時間変化との差異の位置及び傾向に基づき、異常の生じた部位を特定することができる。
【００１０】
また、本発明は、送電路の入状態と切状態とを切り替えるブレードと、入又は切の操作指令に応じて駆動される操作装置と、前記操作装置の回転駆動を前記ブレードに伝達する回転シャフトと、を有する断路器の動作監視方法であって、前記断路器の操作装置の回転をブレードに伝達する回転シャフトの角速度の時間変化を測定する角速度測定ステップと、前記測定した角速度の時間変化を、基準となる回転シャフトの角速度の時間変化との差異の傾向に基づき、断路器の異常の有無を判定するステップとを備えることを特徴とする断路器の動作監視方法を含むものとする。
【発明の効果】
【００１１】
本発明によれば、断路器の動作機構の一部に異常が発生した場合にも、早期に異常を検知することができ、さらに、異常の生じた部位を特定することができる。
【発明を実施するための最良の形態】
【００１２】
以下、本発明の動作監視装置の一実施形態を図面を参照しながら説明する。
まず、本実施形態の動作監視装置の適用の対象となる断路器について説明する。
図１は、本実施形態の動作監視装置による動作の監視の対象となるロックアウト装置を備えた断路器を示す斜視図である。同図に示すように、断路器１００は、送電路に接続される複数組（図では３組）の固定接触部１１０ａ，１１０ｂと、これら固定接触部１１０ａ，１１０ｂの間を開閉するブレード１２０と、固定接触部１１０ａ，１１０ｂを絶縁する碍子１３０と、操作装置１４０の内部に設けられた操作モータ（図１には示さず）の回転を一のブレード１２０に伝達するための操作ロッド１５０と、当該一のブレード１２０の回転を他のブレード１２０に伝達するための連動ロッド１６０とを備えて構成される。断路器１００は、入又は切の操作指令に基づき、上記操作モータが回転駆動し、この回転駆動が操作ロッド１５０を介して伝達され、ブレード１２０が回転することにより、固定接触部１１０ａ，１１０ｂ間が開閉されることにより、送電路の入切状態を切り替えるものである。
【００１３】
ここで、断路器１００に入動作又は切動作させた際の断路器の各動作機構の動作速度は、以下のような特徴がある。まず、断路器内１００動作機構の一部の動作負荷が大きくなるとその部分の動作速度が低下する。また、動作機構の一部に固渋部があると固渋箇所を通過した直後の動作速度は、その反動で一次的に大きくなる。また、動作機構の一部にガタがあると、ガタに入った部分で短時間に大きな速度上昇があり、直後に大きな速度低下がある。また、動作機構の一部に引掛りがあると固渋に近い状況となるが、引掛り部で大きな速度低下がある。
【００１４】
さらに、発明者らが、断路器１００の各部と、動作速度及び速度変化との関係を調べたところ、操作方式（電動操作式，空気操作式など）や電圧階級，断路器種類により異なるものの、以下のような関係が得られた。
図２は断路器１００の入操作時の標準的な角速度の時間変化の一例を示すグラフである。発明者らは、図２に示す入動作時の角速度の時間変化の傾向に基づき、角速度が上昇する部分（以下、入操作時の第１区間という）と、角速度が略一定となる部分（以下、入操作時の第２区間という）と、角速度が低下したのち、上昇する部分（以下、入操作時の第３区間という）と、角速度が大きく上昇した後、短時間で零となる部分（以下、入操作時の第４区間という）とに分類し、夫々の区間と断路器の駆動機構との関係を調べた。すると、入操作時の第１区間は動力伝達部のクランク支点部の影響を受け易く、第２区間はブレード回転部の影響を受け易く、第３区間は、ブレード捻回箇所の影響を受け易く、第４区間は動力伝達部のクランク支点部の影響を受け易いことがわかった。
【００１５】
また、同様に、切動作についても、以下のような関係が得られた。図３は、断路器の切操作時の標準的な角速度の時間変化の時間変化の一例を示すグラフである。同図に示すように、切操作時の角速度の時間変化の傾向に基づき、発明者らは、角速度が上昇する部分（以下、切操作時の第１区間という）と、角速度が低下した後、上昇する部分（以下、切操作時の第２区間という）と、速角度が略一定となる部分（以下、切操作時の第３区間という）と、角速度が大きく上昇した後、短時間で零となる部分（以下、切操作時の第４区間という）とに分類し、夫々の部分と断路器の駆動機構との関係を調べた。すると、切操作時の第１区間は動力伝達部のクランク支点部の影響を受け易く、第２区間はブレード捻回箇所の影響を受け易く、第３区間は、ブレード回転部の影響を受け易く、第４区間は動力伝達部のクランク支点部の影響を受け易いことがわかった。
【００１６】
本実施形態の断路器１００の動作監視装置１は、上述した断路器１００の各部の異常が回転シャフト１５０の回転の角速度へ与える影響に関する知見に基づいて、異常を検知するものであり、断路器１００の入動作又は切動作時の回転シャフト１５０の角速度の時間変化を測定し、異常がない場合の回転シャフト１５０の角速度の時間変化と比較することにより、異常の有無を判定することを特徴とする。
【００１７】
図４は、本実施形態の動作監視装置１の構成を示す図である。
同図に示すように、本実施形態の動作管理装置１は、回転シャフト１５０の角速度の時間変化を測定するための測定器１１と、測定器１１により測定された角速度の時間変化に基づき、異常の有無を判定する判定器１０と、を備える。
【００１８】
測定部１１は、ＣＰＵ２と、メモリ３と、記録部４と、回転シャフト１５０に取り付けられたジャイロスコープ５とを備える。ジャイロスコープ５としては、機械式又は振動式のジャイロスコープを用いることができる。ジャイロスコープ５は、回転シャフト１５０の角速度を測定すると、その角速度に応じた信号をＣＰＵ２に送信し、ＣＰＵ２は入力された信号に対応する角速度をメモリ３に記録する。
【００１９】
判定部１０は、ＣＰＵ６と、メモリ７と、記録部８を備える。判定部１０は、適宜な外部Ｉ／Ｆを備えており、外部Ｉ／Ｆを介して測定部１１のメモリ３に記録された角速度の時間変化を読み込むことができる。また、記録部８には、予め、異常がない状態で測定された角速度の時間変化（以下、基準角速度時間変化という）が記録されている。
なお、本実施形態では、判定部１０と、測定部１１とを別の装置として記載しているが、これらを一体化してもよい。その場合、ＣＰＵ２，６やメモリ３，７を共有化できる。また、判定部１０と、測定部１１を断路器１００と一体化して、自己診断機能付き断路器としてもよい。
【００２０】
まず、図５に示すフローチャートを参照して、測定部１１のＣＰＵ２が回転シャフト１５０の角速度の時間変化を測定すべく実行する処理の流れを説明する。なお、以下の説明において、ＣＯは記録時間を示すカウンタタイマである。
まず、ステップ４００において、ジャイロスコープ５が回転シャフト１５０の回転を検知しない（すなわち、角速度がゼロ）場合には、回転を検知するまで待機している。また、ステップ４００において、ジャイロスコープ５が回転シャフト１５０の回転を検知した場合には、ステップ４０２において、角速度を記録するためのメモリ３を初期化する。
【００２１】
そして、ステップ４０４において、ジャイロスコープ５の検知した角速度の値をメモリ３に記録する。
次に、ステップ４０６において、角速度を記録するメモリ３のアドレスを進める。
次に、ステップ４０８において、カウンタタイマ（ＣＯ）に測定単位時間を加える。
次に、ステップ４１０において、角速度が検知されている場合にはステップ４０４に戻り、ステップ４０４〜４１０を繰り返す。
【００２２】
また、ステップ４１０において、角速度が検知されなくなった場合には、断路器１００の動作が終了したことになるため、ステップ４１２において、判定部１０にメモリ３に記録された角速度の時間変化を送信する。
【００２３】
判定部１０は、測定部１１より角速度の時間変化を受信すると、記録部４に記録されている基準角速度時間変化を読み込む。そして、測定部１１より受信した角速度の時間変化と、基準角速度時間変化とを比較し、入動作の場合、切動作の場合夫々について、以下に詳述するように異常の有無の判定を行う。
【００２４】
まず、入動作の場合の判定の処理の流れについて説明する。図６は、判定部１０における断路器が入動作をした場合に異常の有無を判定すべく判定部１０のＣＰＵ６が実行する処理の流れを示すフローチャートである。
まず、ステップ５００において、測定された角速度の時間変化と基準角速度時間変化とを比較する。ステップ５００において、測定された角速度の時間変化と、基準角速度時間変化が略同じであると判定された場合には、ステップ５０２において、異常がないと判定する。また、ステップ５００において、測定された角速度の時間変化と、基準角速度時間変化とで差異があると判定された場合には、ステップ５１０において、基準角速度に比べて角速度が低下している期間の有無を判定する。
【００２５】
ステップ５１０において基準角速度に比べて角速度の低下している期間があると判定された場合には、次に、ステップ５１２において基準角速度に比べて角速度の低下している期間に基づき異常箇所の特定を行う。
図７は、ステップ５１２における基準角速度に比べて角速度の低下している期間に基づき異常箇所の特定を行う処理の流れを詳細に示すフローチャートである。
まず、ステップ６００において、基準角速度に比べて角速度が全体的に低下しているかどうかを判定する。ステップ６００において、図８に破線で示すように、基準角速度に比べて角速度が全体的に低下していると判定された場合には、ステップ６０２において、断路器を駆動する機構である操作モータの回転の低下したことにより、全体的に角速度が低下した可能性が高いため、操作装置の回転碍子などのベアリングにおいてグリス固化などが発生していると判定する。また、ステップ６００において、全体的に角速度が低下していないと判定された場合には、ステップ６１０において、測定した角速度が基準角速度に比べて低下している期間を特定する。
【００２６】
ステップ６１０において、図９に破線で示すように、中間部までに角速度の低下が見られる場合には、ステッ６１２において、上述した入動作時の第１区間又は第２区間に影響を与える機構である動力伝達部のこじり、リンク機構の不具合などの可能性があると判定する。また、ステップ６１０において、図１０に破線で示すように、後半部に角速度の低下が見られる場合には、ステップ６１４において、上述した入動作時の第３区間に影響を与える機構であるブレードの捻回部のこじり、錆、調整不良の可能性があると判定する。また、ステップ６１０において、図１１に破線で示すように、動作最終部に角速度の低下が見られる場合には、ステップ６１６において、上述した入動作時の第４区間に影響を与える機構である動力伝達部のクランク支点部の調整不良の可能性があると判定する。
【００２７】
上記のように、ステップ６００〜６１６において、角速度の低下した期間に基づき判定を行ったのち、ステップ６２０において、角速度の低下した期間の直後に速度上昇があるかどうかを判定する。ステップ６２０において、角速度の低下した期間の直後に速度上昇が見られる場合には、ステップ６２２において、角速度の低下した期間に影響を与える機構にひっかかりがある可能性があると判定する。
【００２８】
図６のステップ５１０において、基準角速度に比べて角速度の低下した期間が無いと判定された場合には、ステップ５２０にて、測定された角速度の時間変化において、基準角速度の時間変化に比べて角速度が上昇している期間があるかどうかを判定する。
ステップ５２０において、基準角速度に比べて測定された角速度が上昇している期間が見られる場合には、次に、ステップ５２２において、角速度が上昇している期間に基づき断路器の異常箇所の特定を行う。
【００２９】
図１２は、ステップ５２２における基準角速度に比べて角速度が上昇している期間に基づき異常箇所の特定を行う処理の流れを詳細に示すフローチャートである。
まず、ステップ７００において、図１３に破線で示すように、全体的に基準角速度に比べて角速度が上昇している場合には、ステップ７０２において、空気操作式の断路器では、排圧関係の部位の不具合があると判定する。また、ステップ７００において、全体的に角速度の上昇が見していない場合には、ステップ７１０において、角速度が上昇している期間を特定する。
【００３０】
ステップ７１０において、図１４に破線で示すように、前半部において基準角速度に比べて角速度が上昇している場合には、ステップ７１２において、上述した入動作時の第１区間又は第２区間に影響を与える機構である動力伝達部のクランク支点部の調整不良の可能性があると判定する。また、ステップ７１０において、図１５に破線で示すように後半部において、基準角速度に比べて角速度が上昇している場合には、ステップ７１４において、上述した入動作時の第３区間に影響を与える機構であるブレード捻回部におけるコンタクト部のスプリングが劣化しているため、スプリングの力が低下している可能性があると判定する。
【００３１】
図６に戻り、以上説明したように、ステップ５１０〜５２２において、角速度の低下又は上昇の有無及びその期間に基づき判定を行ったあと、ステップ５３０において、測定された角速度の時間変化に、基準角速度の時間変化にない、上昇と下降（以下、異常増減という）があるかどうかを判定する。
その結果、図１６に破線で示すように角速度の時間変化に異常増減が見られた場合には、ステップ５３４において、この異常増減の発生した期間に影響を与える機構に不具合の可能性があると判定して、終了する。また、ステップ５３０において角速度の時間変化に異常増減が見られない場合には判定を終了する。
以上説明したように、判定部により測定された角速度の時間変化と、基準角速度の時間変化とを比較して、異常の有無及びその箇所を判定する。
【００３２】
次に、切動作時の判定の処理の流れについて説明する。
切動作時の判定の処理は、図６に示す入動作時の判定の処理と略同様であるが、ステップ５１２における、基準角速度に比べて角速度が低下している期間に基づき異常箇所の特定を行う処理が異なる。
図１７は、切動作時における、基準角速度に比べて角速度が低下している期間に基づき異常箇所の特定を行う処理を示すフローチャートである。
まず、ステップ８００において、基準角速度に比べて角速度が全体的に低下しているかどうかを判定する。ステップ８００において、図１８に破線で示すように全体的に角速度が低下していると判定された場合には、ステップ８０２において、断路器を駆動する機構である操作モータの回転の低下したことにより、全体的に角速度が低下した可能性が高いため、操作装置の回転碍子などのベアリングにおいてグリス固化などが発生していると判定する。また、ステップ８００において、全体的に角速度が低下していないと判定された場合には、ステップ８１０において、基準角速度に比べて測定した角速度が低下している期間を特定する。
【００３３】
ステップ８１０において、図１９に破線で示すように、前半部に角速度の低下が見られる場合には、ステップ８１４において、切動作時の第１区間及び第２区間に影響を与える機構であるブレード捻回部のこじり、錆、調整不良の可能性があると判定する。また、ステップ８１０において、図２０に破線で示すように、切動作時の第４区間に影響を与える機構である動作最終部に角速度の低下が見られる場合には、ステップ８１２において、動力伝達部のクランク支点部の調整不良の可能性があると判定する。
【００３４】
上記のように、ステップ８００〜８１４において、角速度が低下する箇所に基づき判定を行ったのち、ステップ８２０において、角速度の低下直後に速度上昇があるかどうかを判定する。ステップ８２０において、角速度の低下の直後に上昇が見られる場合には、ステップ８２２において、角速度の低下する期間に影響を与える機構にひっかかりがある可能性があると判定する。
切動作時の測定された角速度の時間変化に基づき判定を行う場合には、上記説明したステップ５１２における角速度が低下する期間に基づき、断路器における異常箇所の特定を行う工程以外は、図６を参照して説明した入動作時の判定の処理と同様の処理を行うことにより、異常箇所の有無及びその箇所を判定することができる。
【００３５】
以上説明したように、本実施形態の断路器の動作監視装置によれば、断路器のブレードに回転駆動を伝達する回転シャフトの角速度の時間変化を測定し、異常のない状態における角速度の時間変化と比較することにより、異常の有無を判定するため、断路器の動作機構の一部に異常が発生した場合にも、早期に異常を検知することができる。さらに、異常のない状態における角速度の時間変化との差異の位置及び傾向に基づき、異常の生じた部位を特定することができる。
【００３６】
なお、上述した実施形態において、回転シャフト１５０の角速度を測定する装置としてジャイロスコープを用いる構成としたが、これに限らず、図２１に示すような、着脱可能な円盤２２を回転シャフト１５０に取り付け、発光ダイオード２０により円盤２２に光を照射し、円盤２２からの反射光を受光素子２１で受信し、これに基づき角速度を検出する装置２３を用いることができる。また、ロータリーエンコーダなども用いることもでき、要するに角速度を検出することができる装置であればよい。
【図面の簡単な説明】
【００３７】
【図１】本実施形態の動作監視装置による動作の監視の対象となるロックアウト装置を備えた断路器を示す斜視図である。
【図２】断路器の入操作時の標準的な角速度の時間変化の一例を示すグラフである。
【図３】断路器の切操作時の標準的な角速度の時間変化の一例を示すグラフである。
【図４】本実施形態の動作監視装置の構成を示す図である。
【図５】測定器による角速度を測定する処理の流れを示すフローチャートである。
【図６】判定部における断路器が入動作をした場合の異常の有無を判定する処理の流れを示すフローチャートである。
【図７】速度低下している位置に基づき異常箇所の特定を行う処理を詳細に示すフローチャートである。
【図８】入動作時における全体的に速度の低下が見られる場合の角速度の時間変化の一例を示すグラフである。
【図９】入動作時における前半部に速度の低下が見られる場合の角速度の時間変化の一例を示すグラフである。
【図１０】入動作時における後半部に速度の低下が見られる場合の角速度の時間変化の一例を示すグラフである。
【図１１】入動作時における動作最終部に速度の低下が見られる場合の角速度の時間変化の一例を示すグラフである。
【図１２】速度上昇している位置に基づき異常箇所の特定を行う処理を詳細に示すフローチャートである。
【図１３】入動作時における全体的に速度上昇が見られる場合の角速度の時間変化の一例を示すグラフである。
【図１４】入動作時における前半部に速度上昇が見られる場合の角速度の時間変化の一例を示すグラフである。
【図１５】入動作時における後半部に速度上昇が見られる場合の角速度の時間変化の一例を示すグラフである。
【図１６】入動作時における新たな上昇及び下降が見られる場合の角速度の時間変化の一例を示すグラフである。
【図１７】切動作時における速度低下の位置に基づき異常箇所の特定を行う処理を示すフローチャートである。
【図１８】切動作時における全体的に角速度の低下が見られる場合の角速度の時間変化の一例を示すグラフである。
【図１９】切動作時における前半部に角速度の低下が見られる場合の角速度の時間変化の一例を示すグラフである。
【図２０】切動作時における動作最終部に角速度の低下が見られる場合の角速度の時間変化の一例を示すグラフである。
【図２１】角速度を検出するための装置を示す図である。
【符号の説明】
【００３８】
１    動作監視装置                    ２    ＣＰＵ
３    メモリ                          ４    記録部
６    ＣＰＵ                          ７    メモリ
８    記録部                          １０  判定部
１１  測定部                          １００  断路器
１２０  ブレード                      １３０  碍子
１４０  操作装置                      １５０  回転シャフト
【図１】
2008004483.tif 000003
【図２】
2008004483.tif 000004
【図３】
2008004483.tif 000005
【図４】
2008004483.tif 000006
【図５】
2008004483.tif 000007
【図６】
2008004483.tif 000008
【図７】
2008004483.tif 000009
【図８】
2008004483.tif 000010
【図９】
2008004483.tif 000011
【図１０】
2008004483.tif 000012
【図１１】
2008004483.tif 000013
【図１２】
2008004483.tif 000014
【図１３】
2008004483.tif 000015
【図１４】
2008004483.tif 000016
【図１５】
2008004483.tif 000017
【図１６】
2008004483.tif 000018
【図１７】
2008004483.tif 000019
【図１８】
2008004483.tif 000020
【図１９】
2008004483.tif 000021
【図２０】
2008004483.tif 000022
【図２１】
2008004483.tif 000023